(57)【特許請求の範囲】
【請求項１】
画像形成ジョブに従って画像形成部で画像形成した複数の記録紙間にインサート紙を挿入するように構成された画像形成装置において、
前記複数の記録紙間に挿入するインサート紙が積載される複数の積載手段と、
前記複数の積載手段に積載されたインサート紙を給紙する複数の給紙手段と、
前記複数の積載手段のそれぞれにインサート紙があるか否かを検知する検知手段と、
前記複数の積載手段のそれぞれに異なる種類のインサート紙が所定の順番で繰り返し積載されているものとして、１つの積載手段に積載されたインサート紙がなくなるまで同一の積載手段から給紙する積載モードを選択する積載モード選択手段と、
前記積載モード選択手段により前記積載モードが選択されている場合、前記複数の積載手段の１つの積載手段からインサート紙を給紙している途中で、給紙中の積載手段のインサート紙がなくなったことが前記検知手段で検知されると、前記検知手段によりインサート紙があると検知される他の積載手段に変更してインサート紙を給紙するよう前記複数の給紙手段を制御する制御手段と、
を有し、前記制御手段は、変更された前記他の積載手段のインサート紙がなくなったら、変更前の前記１つの積載手段を含めて前記検知手段によりインサート紙があると検知される何れかの積載手段からインサート紙を給紙するように前記複数の給紙手段を制御することを特徴とする画像形成装置。
【請求項２】
前記複数の積載手段のそれぞれに異なる種類のインサート紙が積載されているものとして、インサート紙を１枚給紙する毎に積載手段を変更してインサート紙を給紙する別の積載モードを選択する別の積載モード選択手段を有し、
前記別の積載モードが選択された場合、前記制御手段は、給紙対象となっている積載手段にインサート紙がなければ、積載手段の変更を行わないことを特徴とする請求項１記載の画像形成装置。
【請求項３】
前記画像形成された記録紙間に対するインサート紙の挿入箇所を入力する挿入情報入力手段とを有し、前記制御手段は、前記積載モード選択手段により前記積載モードが選択されている場合、前記挿入情報入力手段の入力に基づいて前記給紙手段による前記複数の積載手段からの給紙タイミングを制御することを特徴とする請求項１又は２記載の画像形成装置。
【請求項４】
前記複数の積載手段の何れにもインサート紙がないことが前記検知手段により検知された場合、前記制御手段は、前記画像形成ジョブを一旦停止し、前記複数の積載手段のいずれかにインサート紙があることが前記検知手段により検知されると前記画像形成ジョブを再開することを特徴とする請求項１記載の画像形成装置。
【請求項５】
前記制御手段は、前記複数の積載手段のうち鉛直方向上側から下方向へ前記検知手段におけるインサート紙有無検出の判別を行うことを特徴とする請求項１記載の画像形成装置。
【請求項６】
前記制御手段は、前記複数の積載手段に積載されたインサート紙が全て無くなった場合、前記複数の積載手段の何れかにインサート紙が積載されたことを前記検知手段で検知した後、所定時間後にインサート紙が積載された積載手段からインサート紙を給紙するよう前記複数の給紙手段を制御することを特徴とする請求項４記載の画像形成装置。
【請求項７】
画像形成装置が画像形成ジョブに従って画像形成する複数の記録紙間にインサート紙を挿入するように構成された後処理装置において、
前記複数の記録紙間に挿入するインサート紙が積載される複数の積載手段と、
前記複数の積載手段に積載されたインサート紙を給紙する複数の給紙手段と、
前記複数の積載手段のそれぞれにインサート紙があるか否かを検知する検知手段と、
前記複数の積載手段のそれぞれに異なる種類のインサート紙が所定の順番で繰り返し積載されているものとして、１つの積載手段に積載されたインサート紙がなくなるまで同一の積載手段から給紙する積載モードが前記画像形成装置により選択されている場合、前記複数の積載手段の１つの積載手段からインサート紙を給紙している途中で、給紙中の積載手段のインサート紙がなくなったことが前記検知手段で検知されると、前記検知手段によりインサート紙があると検知される他の積載手段に変更してインサート紙を給紙するよう前記複数の給紙手段を制御する制御手段と、
を有し、前記制御手段は、変更された前記他の積載手段のインサート紙がなくなったら、変更前の前記１つの積載手段を含めて前記検知手段によりインサート紙があると検知される何れかの積載手段からインサート紙を給紙するように前記複数の給紙手段を制御することを特徴とする後処理装置。
【発明の詳細な説明】
【０００１】
【発明の属する技術分野】
本発明は、画像形成装置及び後処理装置に関し、特に、像形成された出力紙の間に挿入したいインサート紙を画像形成部をバイパスしてシート処理部へ供給可能に構成された給紙トレイ、即ちインサータトレイを装備し、ユーザへの使用環境を向上させる場合に好適な画像形成装置及び後処理装置に関する。
【０００２】
【従来の技術】
従来、インサータトレイを装備した画像形成装置（複写装置）がある。従来のインサータトレイを装備した画像形成装置においては、インサータトレイからの給紙方法として、表紙モード、合紙モードなどの出力形態を指定するものは存在したが、インサータトレイに積載される用紙の積載状態を指定するものは無かった。
【０００３】
また、従来のインサータトレイを有する画像形成装置では、インサータトレイからの給紙方法として、表紙モード、合紙モードなどの出力形態を指定するものは存在したが、インサータトレイに置かれる用紙の積載状態を指定するもの、特に、インサータトレイ上の紙の有無情報をもってして、システム動作開始のトリガにするものは無かった。
【０００４】
【発明が解決しようとする課題】
上述した従来のインサータトレイを装備した画像形成装置においては下記のような問題があった。
【０００５】
（１）ジョブ開始前にインサータトレイに積載されたインサート紙が無くなった時、ジョブを一旦中断し、残りのインサート紙がインサータトレイにセットされてから、ジョブを継続していたので、処理時間がかかるという問題があった。
【０００６】
（２）また、ジョブ開始前にインサータトレイに積載されたインサート紙が無くなった時、ジョブを一旦中断し、残りのインサート紙がインサータトレイにセットされてから、ジョブを継続する時、インサータトレイから構成されるインサータから離れた場所にある画像形成装置の操作部からジョブの再開を入力しなければならず、ユーザにとっては手間がかかるという問題があった。
【００１４】
本発明は、上述した点に鑑みなされたものであり、給紙中のインサータトレイのインサート紙がなくなっても、複数のインサータトレイのいずれかにインサート紙が補給されればジョブを停止させずに、続行させることができる画像形成装置及び後処理装置を提供することを目的とする。
【００１８】
【課題を解決するための手段】
上記目的を達成するために、本発明の画像形成装置は、画像形成ジョブに従って画像形成部で画像形成した複数の記録紙間にインサート紙を挿入するように構成された画像形成装置において、前記複数の記録紙間に挿入するインサート紙が積載される複数の積載手段と、前記複数の積載手段に積載されたインサート紙を給紙する複数の給紙手段と、前記複数の積載手段のそれぞれにインサート紙があるか否かを検知する検知手段と、前記複数の積載手段のそれぞれに異なる種類のインサート紙が所定の順番で繰り返し積載されているものとして、１つの積載手段に積載されたインサート紙がなくなるまで同一の積載手段から給紙する積載モードを選択する積載モード選択手段と、前記積載モード選択手段により前記積載モードが選択されている場合、前記複数の積載手段の１つの積載手段からインサート紙を給紙している途中で、給紙中の積載手段のインサート紙がなくなったことが前記検知手段で検知されると、前記検知手段によりインサート紙があると検知される他の積載手段に変更してインサート紙を給紙するよう前記複数の給紙手段を制御する制御手段と、を有し、前記制御手段は、変更された前記他の積載手段のインサート紙がなくなったら、変更前の前記１つの積載手段を含めて前記検知手段によりインサート紙があると検知される何れかの積載手段からインサート紙を給紙するように前記複数の給紙手段を制御することを特徴とする。
【００１９】
上記目的を達成するために、本発明の後処理装置は、画像形成装置が画像形成ジョブに従って画像形成する複数の記録紙間にインサート紙を挿入するように構成された後処理装置において、前記複数の記録紙間に挿入するインサート紙が積載される複数の積載手段と、前記複数の積載手段に積載されたインサート紙を給紙する複数の給紙手段と、前記複数の積載手段のそれぞれにインサート紙があるか否かを検知する検知手段と、前記複数の積載手段のそれぞれに異なる種類のインサート紙が所定の順番で繰り返し積載されているものとして、１つの積載手段に積載されたインサート紙がなくなるまで同一の積載手段から給紙する積載モードが前記画像形成装置により選択されている場合、前記複数の積載手段の１つの積載手段からインサート紙を給紙している途中で、給紙中の積載手段のインサート紙がなくなったことが前記検知手段で検知されると、前記検知手段によりインサート紙があると検知される他の積載手段に変更してインサート紙を給紙するよう前記複数の給紙手段を制御する制御手段と、を有し、前記制御手段は、変更された前記他の積載手段のインサート紙がなくなったら、変更前の前記１つの積載手段を含めて前記検知手段によりインサート紙があると検知される何れかの積載手段からインサート紙を給紙するように前記複数の給紙手段を制御することを特徴とする。
【００５８】
【発明の実施の形態】
以下、本発明の実施の形態を図面に基づいて詳細に説明する。
【００５９】
［第１の実施の形態］
図２は本発明の第１の実施の形態に係る複写装置１０００の内部構造を示す構成図である。本発明の第１の実施の形態に係る複写装置１０００は、読取部１０１と、画像形成部１０２と、シート処理部１０３と、画像形成部１０２及びシート処理部１０３に対する動作設定及び設定内容の確認等を行うための操作部４０とを備える構成となっている。
【００６０】
上記構成を詳述すると、読取部１０１は、原稿積載トレイ５０にセットされた原稿Ｐを原稿読み取り位置まで給送し、原稿読み取り位置にて原稿の読取処理を行い、原稿読み取り位置にて読み取った原稿を排紙位置まで搬送する自動原稿給送部５１と、読み取り位置に給送された原稿台ガラス７８上の原稿ｐを照射するランプ７９と、画像読み取り用の３ラインセンサ（以下、ＣＣＤ）７６と、原稿ｐからの反射光をＣＣＤ７６に導くための反射ミラー７２、７３、７４と、ＣＣＤ７６上に原稿からの反射光を結像するレンズ７５と、後述の図３に示す構成を有する画像信号制御部７７とを備えている。ＣＣＤ７６は、Ｒ（レッド）、Ｇ（グリーン）、Ｂ（ブルー）のアナログ色信号を独立して得るためのカラーラインセンサ及び色毎に増幅するためのアンプ、更にアナログ色信号を８ビットのデジタル信号に変換するためのＡ／Ｄ変換器を備えている。ＣＣＤ７６からの出力信号は画像信号制御部７７に入力される。
【００６１】
画像形成部１０２は、異なるサイズの複数の記録紙Ｓを積載した記録紙格納部５３、５４、及び記録紙Ｓを給紙する記録紙給紙部５５、５６を備えている。記録紙給紙部５５または５６から給紙された記録紙Ｓは、シート搬送路５７を介してシート搬送路６０へ搬送される。また、画像形成部１０２は、読取部１０１にて読み取られた原稿の画像情報に基づいてレーザ光を走査して画像記録部６２の感光体上に潜像を形成するためのレーザスキャナ６１と、感光体上にトナー画像を形成し、該トナー該を記録紙Ｓに転写して画像形成処理を行う画像記録部６２とを備えている。画像記録部６２により画像形成された記録紙Ｓは、搬送ベルト６３と記録紙上のトナー像を軟化溶融して定着させるための定着ローラ６４、搬送ローラ６５を介しシート処理部１０３へ搬送される。
【００６２】
シート処理部（以下、フィニッシャ）１０３は、画像形成部１０２から給送された記録紙Ｓを搬送するための入口ローラ１と、インサータ１０４とを備えている。インサータ１０４は、インサート処理を行うためのものである。ここで、インサート処理に関する説明をする。インサート処理とは、図２に示すインサータ１０４のトレイ２０にセットされたシートＩ（以下、インサート紙Ｉ）を画像形成部１０２を通さずにサンプルトレイ８５、スタックトレイ８６の何れかに給送する処理であって、フィニッシャ１０３に送り込まれる画像形成部１０２からのシートとシートの間にインサート紙Ｉをインサート（中差し）するための処理である。
【００６３】
インサータ１０４のトレイ２０にはユーザによりフェイスアップの状態でインサート紙Ｉがセットされるものとし、給紙ローラ２１により最上部のシートから順次給送する。従って、インサータ１０４からのシートは搬送ローラ２３、２４、２５を介し、そのままサンプルトレイ８５またはスタックトレイ８６へ搬送されるので、フェイスダウン状態で排出される。
【００６４】
また、原稿積載トレイ５０にはユーザによりフェイスアップの状態で複数原稿ｐがセットされる。読取部１０１では、最上部の原稿から順次読取処理を行う。また、画像形成部１０２において、画像形成処理が行われた記録紙をフェイスダウンの状態でフィニッシャ１０３へ送り込む場合は、記録紙を一度搬送ローラ６６側へ送り込んだ後にスイッチバックさせてフィニッシャ１０３へ送り込む。また、記録紙をフェイスアップの状態でフィニッシャ１０３へ送り込む場合は、スイッチバックさせないよう搬送ローラ６６側には送り込まず、記録紙をそのままフィニッシャ１０３へ送り込む。
【００６５】
即ち、インサータ１０４を用いてインサート処理を行う場合、画像形成部１０２側にて記録紙をスイッチバックさせ、フェイスダウンの状態でフィニッシャ１０３へ送り込むようにし、フィニッシャ１０３側では記録紙をそのままサンプルトレイ８５またはスタックトレイ８６にフェイスダウンの状態で排出する。これにより、インサータ１０４からのインサート紙Ｉと画像形成部１０２からの記録紙Ｓのフェースの向きを合わせることができる。
【００６６】
インサータトレイ２０は、インサートすべきインサート紙Ｉをセットするためのものであり、例えば、第１インサータトレイ（以下インサータトレイ１）、第２インサータトレイ（以下インサータトレイ２）、第３インサータトレイ（以下インサータトレイ３）の３段のインサータトレイから構成されている。従って、インサータそれぞれにインサータトレイが装備されているので、それぞれ独立してインサート紙Ｉを積載できる。尚、インサータトレイの段数は３段に限定されるものではなく、必要に応じた段数とすることが可能である。
【００６７】
給紙ローラ２１は、インサート紙Ｉを給送するためのローラである。給紙ローラ２１は、通常インサート紙Ｉからは離間した位置で待機しており、給紙するタイミングで給紙ソレノイド（不図示）をオンすることによって、インサート紙Ｉに着地する。分離ローラ２２は、給紙ローラ２１より給送されたインサート紙Ｉを分離するためのローラである。インサート紙セット検知センサ２７は、トレイ２０にインサート紙Ｉがセットされているかを検知するためのセンサである。分離ローラ２２からのインサート紙Ｉは、搬送ローラ２３、２４、２５、２６を介し、搬送ローラ２へ搬送される。インサータパスセンサ４１は、インサート紙Ｉの通過を検知するセンサである。
【００６８】
更に、フィニッシャ１０３は、記録紙Ｓまたはインサート紙Ｉを搬送する搬送ローラ２及び３と、シート検知センサ３１とを備えている。シート検知センサ３１は、搬送ローラ２から搬送される記録紙Ｓまたはインサート紙Ｉの通過を検知するための入口側のセンサである。また、フィニッシャ１０３は、搬送ローラ３から搬送されてくる記録紙Ｓまたはインサート紙Ｉの後端付近に穴あけ処理を行うためのパンチユニット９０、搬送路中に配置される比較的大口径のローラ（以下、バッファローラ）５、バッファローラ５の外部周囲に配置され、記録紙Ｓをバッファローラ５のロール面に押圧して搬送する押し付けコロ１２、１３、１４とを備えている。
【００６９】
また、第１の切り換えフラッパ１１は、ノンソートパス３５とソートパス３６とを選択的に切り換えるためのものであり、第２の切り換えフラッパ１０は、記録紙Ｓまたはインサート紙Ｉを一時的に蓄えるためのバッファパス２３とソートパス３６との切り換えを行うためのものである。シート検知センサ３３は、ノンソートパス３５上の記録紙Ｓまたはインサート紙Ｉを検知するセンサであり、シート検知センサ３２は、バッファパス２３上の記録紙Ｓまたはインサート紙Ｉを検知するためのセンサである。
【００７０】
また、フィニッシャ１０３は、ソートパス３６の経路に設けられる搬送ローラ６と、処理トレイユニット８４とを備えている。処理トレイユニット８４は、記録紙Ｓまたはインサート紙Ｉを一時的に集積し、集積された記録紙Ｓまたはインサート紙Ｉを整合し、ステープルユニット８０によりステープル処理を行うために設けられた中間トレイ（以下、処理トレイ）８２と、処理トレイ８２に積載された記録紙Ｓまたはインサート紙Ｉを整合するための整合板８８と、処理トレイ８２の排出端側に配置される束排出ローラを構成する一方の排出ローラである固定側の搬出ローラ８３ｂとを備えている。
【００７１】
排出ローラ７は、ソートパス３６に配されたものであって、記録紙Ｓまたはインサート紙Ｉを処理トレイ８２を介しスタックトレイ８６上に排出するための第１の排出ローラである。排出ローラ９は、ノンソートパス３５に配されたものであって、記録紙Ｓまたはインサート紙Ｉをサンプルトレイ８５上に排出するための第２の排出ローラである。上排出ローラ８３ａは、揺動ガイド８１に支持されるものであって、揺動ガイド８１が閉じ位置に来たとき、上排出ローラ８３ａに加圧的に当接された処理トレイ８２上の記録紙Ｓまたはインサート紙Ｉをスタックトレイ（第２の積載トレイ）８６上に束排出するためのローラである。束積載ガイド８７は、スタックトレイ８６、サンプルトレイ８５上に積載されるシート束の後端縁（束排出方向に対して後端縁）を突き当て支持するガイドであり、フィニッシャ１０３の外装を兼ねている。
【００７２】
ユーザは原稿積載トレイ５０に原稿ｐをセットし、操作部４０にて複写装置１０００に対する操作を行うことで、画像形成処理を開始させる。複写装置１０００は、ユーザからの指示に基づき、読取部１０１にて原稿ｐの読取処理を行うと共に画像形成部１０２にて記録紙格納部５３または５４から記録紙Ｓの給紙を開始し、シート搬送路６０を介して画像記録部６２へ記録紙Ｓを搬送する。また、操作部４０にて設定されたシートの分類動作に必要なデータと動作開始信号をフィニッシャ１０３に対して送出し、フィニッシャ１０３の動作を開始させる。次に、読み取った原稿の画像情報に基づいて、画像記録部６２に搬送された記録紙Ｓ上にトナー画像を転写し、定着部にてトナー画像を定着させ画像形成処理を行う。そして、フィニッシャ１０３にてインサート紙Ｉの給送、シートの分類、ステープル処理を行う。
【００７３】
図３は本発明の第１の実施の形態に係る複写装置の読取部１０１の画像信号制御部７７の詳細な構成を示すブロック図である。本発明の第１の実施の形態に係る複写装置の読取部１０１の画像信号制御部７７は、シェーディング補正部３０１、シフトメモリ部３０２、ＬＯＧ変換部３０３、黒生成部３０４、マスキングＵＣＲ部３０５、濃度変換部３０７、トリミング処理部３０８、変倍移動処理部３０９、色判定部３１０を備える構成となっている。
【００７４】
上記構成を動作と共に詳述すると、ＣＣＤ７６からの出力信号は、シェーディング補正部３０１にて各色毎にシェーディング補正され、シフトメモリ部３０２にて色間及び画素間のずれを補正され、その後、色判定部３１０及び光濃度変換のための対数補正を行うＬＯＧ変換部３０３に入力される。ＬＯＧ変換部３０３から出力された濃度信号Ｙ（イエロー）、Ｍ（マゼンタ）、Ｃ（シアン）は黒生成部３０４に入力される。黒生成部３０４では、入力された濃度信号に基づき黒信号（ＢＫ）が生成される。
【００７５】
マスキングＵＣＲ部３０５では、黒生成部３０４から出力されるＹ、Ｍ、Ｃ、ＢＫ信号に対してカラーセンサのフィルタ特性及びトナー濃度特性に関する補正が行われ、補正後、４色の信号のなかで現像されるべき１色が選択される。そして、濃度変換部３０７にてプリンタの現像特性やユーザの好みに応じた濃度変換が行われ、トリミング処理部３０８にてユーザの所望する区間の編集処理が行われた後に画像形成部１０２に出力される。
【００７６】
また、シフトメモリ部３０２からの信号は色判定部３１０に入力される。色判定部３１０では、原稿ｐが無彩色または有彩色を含んでいるかの判定を行い、一定レベル以上の有彩色を検出する。無彩色はＲ、Ｇ、Ｂの各信号比率が等しい場合である。従って、Ｒ、Ｇ、Ｂの各信号の差が少ない場合は無彩色と判別する。即ち、ＲとＧの差を演算し、ＧとＢの差を演算し、その差の結果が小さい程無彩色と判定する。
【００７７】
図１は本発明の第１の実施の形態に係る複写装置１０００を制御する制御部３００の詳細な構成を示すブロック図である。本発明の第１の実施の形態に係る複写装置の制御部３００は、ＣＰＵ回路部２００、操作部制御部２０１、読取制御部２０２、記録紙給紙制御部２０３、画像形成制御部２０４、シート処理制御部２０５を備える構成となっている。
【００７８】
上記構成を詳述すると、ＣＰＵ回路部２００は、所定のプログラムにより演算を行ったり、処理部全体をコントロールする中央処理演算部（以下、ＣＰＵ）２００２と、プログラムや所定のデータを格納するＲＯＭ、及び信号処理に応じて一時的にデータを格納するＲＡＭ、ＩＣカードやフロッピーディスク等のプログラムやデータの書き込み処理及び読み出し処理を行うためのメモリ２００１と、入出力信号の伝送及び制御を行うためのＩ／Ｏ制御部２００３とを備えている。ＣＰＵ２００２は、後述の本発明のプログラムに基づき後述の各フローチャートに示す処理を実行する。メモリ２００１及びＩ／Ｏ制御部２００３は、ＣＰＵ２００２からの制御信号により制御される。また、ＣＰＵ回路部２００により操作部制御部２０１、読取制御部２０２、記録紙給紙制御部２０３、画像形成制御部２０４、シート処理制御部２０５を制御する。
【００７９】
操作部制御部２０１は、操作部４０から入力された各種設定や操作部４０に対する表示制御、点灯／消灯制御等を行う。読取制御部２０２は、読取部１０１の制御を行う。記録紙給紙制御部２０３は、画像形成部１０２における記録紙の給紙制御を行う。画像形成制御部２０４は、画像形成部１０２における画像形成制御を行う。シート処理制御部２０５は、シート処理部１０３におけるシート処理制御を行う。
【００８０】
次に、複写装置１０００の操作部４０について説明する。図４は複写装置１０００の操作部４０の構成を示す図である。パワーランプ６２１は、電源が入っていることを示すためのランプである。パワースイッチ６１３は、電源のＯＮ／ＯＦＦの切り換えに合わせ点灯、消灯する。テンキー６２２は、画像形成枚数の設定や動作モードの設定等の数値入力の際に使用する。また、ファクシミリ設定画面における電話番号の入力に使用する。クリアキー６２３は、テンキー６２２で入力した設定をクリアする場合に使用する。リセットキー６１６は、設定された画像形成枚数や動作モードや選択給紙段等のモードを既定値に戻すためのものである。
【００８１】
また、スタートキー６１４を押下することで画像形成動作を開始する。スタートキー６１４の中央には画像形成処理のスタートが可能か否かを示す赤色とグリーンのＬＥＤ（不図示）がある。画像形成動作のスタートが不可能の場合は赤色のＬＥＤが点灯し、スタート可能な場合はグリーンのＬＥＤが点灯する。ストップキー６１５は、複写動作の停止を行う際に使用する。また、ガイドキー６１７を押下した後にその他のキーを押下すると、そのキーにより設定できる機能の説明が表示パネル６２０に表示される。このガイド表示を解除する場合は再度ガイドキー６１７を押下する。ユーザ設定キー６１８は、複写装置１０００の設定をユーザが変更する場合に使用する。ユーザが変更できる設定は、例えば、複写装置１０００に対する設定を自動的にクリアするまでの時間や、リセットキー６１６を押下した際のモードの既定値の設定等である。また、画像形成動作中に割り込みキー６１９を押下すると、その他の画像形成動作を中止させる。
【００８２】
表示パネル６２０は、液晶等で構成されており、詳細なモード設定を容易にするべく設定モードに応じて表示内容が切り替わる。尚、該表示パネル６２０の画面はタッチパネルとなっており、それぞれ表示される機能の枠内を触れることにより、その機能が実行される。表示パネル６２０には、図４の例では複写動作モードの設定画面が表示されている。表示パネル６２０内には、キー６２４、６２５、６２６、６２７、６２８、６２９、６３０、６３１、６３２が表示されている。ユーザはこれらのキーを押下することで複写装置１０００に対するモード設定を行う。
【００８３】
キー６２７は、用紙選択を行うためのキーであり、キー６２８、６２９、６３０、６３２は、複写動作の複写倍率を設定する際に使用するキーである。応用モードキー６２６は、多重動作や縮小レイアウトモード、表紙・合紙モード等の応用機能モードを設定する際に使用するキーであり、応用モードキー６２６を押下することにより、各応用機能モードの設定するための画面が表示パネル６２０に表示される。ユーザはこの画面で応用機能モードを設定する。両面動作設定キー６２４は、両面動作の設定キーであり、該両面動作設定キー６２４は、例えば片面原稿２枚を両面原稿で出力する「片−両モード」、両面原稿を両面原稿で出力する「両−両モード」、両面原稿を片面原稿２枚で出力する「両−片モード」等の設定を行う際に使用するキーである。
【００８４】
排紙処理キー６２５は、フィニッシャ１０３の動作モードの設定や画像メモリを用いた出力紙の仕分けモードの設定、また、インサート処理を行うためのインサートモードの設定を行う際に使用するキーである。カラー原稿読取キー６３０は、原稿読取モードの設定を行うためのキーであり、原稿積載トレイ５０に積載されている複数原稿ｐのなかからカラー原稿のみを抽出して処理するためのモードを設定する際に使用するキーである。また、白黒原稿読取キー６３１は、複数原稿ｐのなかから白黒原稿のみを抽出して処理するためのモードを設定する際に使用するキーである。
【００８５】
カラー原稿読取キー６３０、白黒原稿読取キー６３１の何れかが押下された場合は、選択されたモードを示すほうのキーが白黒反転表示となり、現在設定されている原稿読取モードが分かるようになっている。また、反転状態のキーを押下するとモードの解除となり、そのキーは非反転表示（通常表示）となる。尚、カラー原稿読取キー６３０、白黒原稿読取キー６３１のどちらのキーも非反転表示の場合は初期状態であり、カラー原稿、白黒原稿の区別なく原稿積載トレイ５０にセットされた複数原稿全てに対して処理を行うよう通常読取モードが設定される。
【００８６】
表示パネル６２０内に表示されているキーで使用できないキーはその表示部分を点線（網掛け）にすることで、そのキーが操作できないことを表すようにする。また、表示パネル６２０内の上方箇所には、設定した複写動作の内容表示や現在の動作状態を１ラインで表示できる範囲で表示する。図４では、コピーＡの設定画面を示している。また、表示パネル６２０内の下方箇所には、その他の機能モードの動作状態を１ラインで表示できる範囲で表示する。図４では、コピーＢのプリンタ部への出力動作中であることを示している。
【００８７】
また、図４におけるコピーＡ機能キー６０１、コピーＢ機能キー６０４、ファックス機能キー６０７、プリンタ機能キー６１０は、複写動作、システム動作の各機能の設定を行うために操作部４０の表示パネル６２０の表示内容を切り替える際に使用する機能キーである。これらの機能キーは半透明のボタンで構成されており、キーの内部にはＬＥＤ等の表示ランプ（不図示）がある。そして、選択された操作画面に対応したキー内部のランプのみが点灯制御される。
【００８８】
また、これらの機能キー６０１、６０４、６０７、６１０の右側に配置されているグリーンのＬＥＤ６０３、６０６、６０９、６１２は、各機能の動作状況を表すように点灯制御される。例えばコピーＢ機能キー６０４を押下し、表示パネル６２０にコピーＢの操作画面を表示させる。コピーＢがスタンバイ中ではコピーＢのＬＥＤ６０６は消灯制御される。図４の例のようにコピーＢが出力動作中の場合はコピーＢのＬＥＤ６０６は点滅制御される。また、コピーＢの画像がメモリ２００１に保存され、コピーＢのプリント動作が行われていない場合は点灯制御される。
【００８９】
また、これらの機能キー６０１、６０４、６０７、６１０の左側に配置されている赤色のＬＥＤ６０２、６０５、６０８、６１１は、各機能で異常が発生した場合にそのことを表すよう点灯制御される。例えばコピーＢに紙なし中断やＪＡＭなどの異常が発生した場合はコピーＢのＬＥＤ６０５は点滅制御される。この時、コピーＢ機能キー６０４を押下しコピーＢ機能に切り替えることで表示パネル６２０にコピーＢの異常状況が表示され、その詳細を知ることができる。
【００９０】
上述したこれらの機能キー６０１、６０４、６０７、６１０はどの動作状況にもよらず押下することができ、表示パネル６２０に表示させる内容を変更することで操作部を切り替える。そして、上述したストップキー６１５、スタートキー６１４、リセットキー６１６など表示パネル６２０内に無いキーは、コピーＡ機能キー６０１、コピーＢ機能キー６０４、ファックス機能キー６０７、プリンタ機能キー６１０のうちから選択した機能に対応した操作ができるようになっている。
【００９１】
例えば図４のように、コピーＡの操作画面を表示パネル６２０上に表示している時にコピーＢの複写動作の停止を行うには、コピーＢ機能キー６０４を押下し、操作画面を切り替えた後にストップキー６１５を押下することで、コピーＢの複写動作は停止する。また、ユーザ設定キー６１８により変更した内容は変更時に選択していた機能に対して反映されているので、それぞれの機能に対して独立して設定することができる。
【００９２】
図５は排紙処理キー６２５を押下した際に表示パネル６２０に表示される排紙処理設定画面を示した図である。この画面にて排紙モードを選択する。ソートキー６３２は、ソートモードによる排紙処理の設定、ステープルキー６３３は、ソートした出力紙に対するステープル処理のモードの設定、グループキー６３４は、１つの原稿に対するコピーを１つのビンに排紙するグループモードの設定を行う際に使用する。インサートモードキー６３５は、上述したようにインサータ１０４を用いてインサート処理を行うようインサートモードの設定のためのキーである。
【００９３】
初期状態で、カラーページインサートキー６３８とページ指定キー６３９は網掛け表示で選択できない状態であり、インサートモードキー６３５が選択されて初めて網掛けが解除され選択可能な状態になる。ここで、カラーページインサートキー６３８を押下して選択すると、表示パネル６２０は、図６に示す表示に変わり、Ｓ置きキー６４０かＦ置きキー６４１を選択可能な状態となる。Ｓ置き、Ｆ置きについては後述する。尚、上述したこれら排紙処理を設定するためのキーは排他的なものであって、各モードから排紙モードを選択できるようになっている。取り消しキー６３６は、排紙処理モードの設定をキャンセルする場合に使用する。ＯＫキー６３７は、該画面にて選択した排紙処理モードの設定を確定する際に使用する。
【００９４】
図７は上述した操作部で選択可能なＳ置きとＦ置きについて説明する図である。例えばインサートすべきページ数が３ページの場合を例にとって説明すると、図７（ａ）のように、各インサータトレイに一種類のインサート紙が積載されている場合を本発明ではＳ置きモード積載、また、図７（ｂ）のように、各インサータトレイに３ページ分のインサート紙をページ順に積み重ねて積載する場合を本発明ではＦ置きモード積載と呼ぶ。従って、インサータトレイには上記２種類の方法でインサート紙を積載できる。
【００９５】
図４１は本発明のプログラム及び関連データが記憶媒体から装置に供給される概念例を示す説明図である。本発明のプログラム及び関連データは、フロッピディスクやＣＤ−ＲＯＭ等の記憶媒体４１０１をコンピュータ等の装置４１０２に装備された記憶媒体ドライブ挿入口４１０３に挿入することで供給される。その後、本発明のプログラム及び関連データを記憶媒体４１０１から一旦ハードディスクにインストールしハードディスクからＲＡＭにロードするか、或いはハードディスクにインストールせずに直接ＲＡＭにロードすることで、本発明のプログラム及び関連データを実行することが可能となる。
【００９６】
この場合、本発明の第１〜第５の実施の形態に係る複写装置において本発明のプログラムを実行する場合は、例えば上記図４１に示したようなコンピュータ等の装置を介して複写装置に本発明のプログラム及び関連データを供給するか、或いは複写装置に予め本発明のプログラム及び関連データを格納しておくことで、プログラム実行が可能となる。
【００９７】
図４０は本発明のプログラム及び関連データを記憶した記憶媒体の記憶内容の構成例を示す説明図である。本発明の記憶媒体は、例えばボリューム情報４００１、ディレクトリ情報４００２、プログラム実行ファイル４００３、プログラム関連データファイル４００４等の記憶内容で構成される。本発明のプログラムは、後述の各フローチャートに基づきプログラムコード化されたものである。
【００９８】
尚、本発明の特許請求の範囲における各構成要件と、本発明の第１の実施の形態並びに後述の第２〜第５の実施の形態に係る複写装置の各部との対応関係は下記の通りである。画像形成部は画像形成部１０２に対応し、後処理装置はシート処理部１０３に対応し、積載手段はインサータトレイ２０に対応し、給紙手段は給紙ローラ２１に対応し、制御手段はＣＰＵ２００２に対応し、挿入情報入力手段はカラーページインサートキー６３８、ページ指定キー６３９に対応し、検知手段はインサート紙セット検知センサ２７に対応し、積載モード選択手段はインサートモードキー６３５、Ｓ置きキー６４０、Ｆ置きキー６４１に対応する。
【００９９】
次に、上記の如く構成された本発明の第１の実施の形態に係る複写装置の動作を図８〜図１３を参照しながら説明する。
【０１００】
＜インサータ動作コントロールフロー＞
コピーモードとしてインサート紙を挿入するインサートモードが選択されている場合のインサータ動作コントロールのフローチャートを図８・図９を用いて説明する。尚、本発明の第１の実施の形態では、インサートすべきページ数を３ページ、インサータトレイ数を３段としている。操作部４０からコピースタートが選択されると（ステップＳ２０１）、インサータトレイに積載されているインサート紙がどのような積載方法で積載されているかを判断する（ステップＳ２０２）。この判断は後述するが、操作部４０から入力された信号に基づいて判断される。
【０１０１】
もし、インサータトレイの積載方法がＳ置きモード積載である場合は、定数ｋに使用しているインサータトレイ数を代入する（ステップＳ２０３）。次に、定数ｉに最初に給紙するインサータトレイ番号１を代入し（ステップＳ２０４）、インサート紙を挿入するタイミングかどうか判定する（ステップＳ２０５）。インサート紙を挿入するタイミングについては図１２・図１３を用いて後述する。
【０１０２】
ここで、インサータ給紙タイミング信号が発生するとインサート紙を挿入するタイミングと判断して、インサータトレイにインサート紙があるかどうか判定し（ステップＳ２０６）、用紙があればインサータ１０４に対して動作要求を出す（ステップＳ２０８）。もし、インサータトレイｉに用紙がなければ、用紙を補給するようユーザに対してメッセージ（不図示）を出し（ステップＳ２０７）、用紙が補給されるまで待機する。ここでは、インサータトレイｉ動作要求＝１になると、インサータトレイｉに対して動作要求を出すことになる。
【０１０３】
次に、インサータトレイｉ動作要求が解除されると（ステップＳ２０９）、定数ｉとｋが等しいかどうか判定する（ステップＳ２１０）。ここで、もしｉ＝ｋならば、ジョブの最終部かどうか判定を行う（ステップＳ２１１）。もし、ジョブの最終部でなければステップＳ２０４に戻り、ジョブの最終部であれば終了する。また、ステップＳ２１０においてｉ＝ｋでなければ、ｉをインクリメントして（ステップＳ２１２）、ステップＳ２０５に戻る。
【０１０４】
ステップＳ２０２においてインサータトレイの積載方法がＦ置きモード積載である場合は、定数ｋに使用しているインサータトレイ数を代入する（ステップＳ２１３）。次に、定数ｉに最初に給紙するインサータトレイ番号の１を代入し（ステップＳ２１４）、インサート紙を挿入するタイミングかどうか判定する（ステップＳ２１５）。ここで、インサート紙を挿入するタイミングならばインサータトレイｉにインサート紙があるかどうか判定し（ステップＳ２１６）、用紙があればインサータ１０４に対して動作要求を出す（ステップＳ２１８）。もし、インサータトレイｉに用紙がなければ、用紙を補給するようユーザに対してメッセージを出し（ステップＳ２１７）、用紙が補給されるまで待機する。
【０１０５】
次に、インサータ１０４の動作要求が解除されると（ステップＳ２１９）、挿入すべき最後のインサート紙であったかどうか判定し（ステップＳ２２０）、もし最終紙であれば終了する。また、最後のインサート紙でなければ、インサータトレイｉに用紙があるかどうか判定し（ステップＳ２２１）、インサート紙があればステップＳ２１５に戻り、インサート紙がなければ給紙するインサータトレイ番号を変更し（ステップＳ２２２）、インサータトレイ数ｋと給紙選択されているインサータトレイ番号ｉを比較し、ｉがｋ以下ならば（ステップＳ２２３）、ステップＳ２１４に戻る。また、ステップＳ２２３で定数ｉがｋ以上になった場合には、ステップＳ２１５に戻り給紙するインサータトレイ番号を１に設定する。
【０１０６】
従って、Ｆ置きモードが設定されている場合には、用紙がなくなったインサータトレイに対してインサート紙を補給することでジョブを停止させることなくコンティニアスランが可能である。尚、図８・図９の動作はＣＰＵ２００２で制御される。
【０１０７】
＜インサータの給紙フロー＞
インサータ１０４の給紙に関するフローチャートを図１０を用いて説明する。ここでは、インサータトレイ１から給紙する場合について説明する。インサータ１０４に対して動作要求があると（ステップＳ１０１）、インサータトレイ１に積載されているインサート紙を搬送するために不図示の給紙ソレノイドをオンして、給紙ローラをインサート紙上に着地させる（ステップＳ１０２）。次に、インサート紙を搬送するために、不図示の搬送モータをオンする（ステップＳ１０３）。搬送モータをオンすると給紙ローラが回転するのでインサート紙を搬送できる。
【０１０８】
次に、インサート紙の搬送経路上に設けられたインサータパスセンサ４１がインサート紙の後端が通過したことを検知すると（ステップＳ１０４）、搬送モータをオフする（ステップＳ１０５）。次に、給紙ソレノイドをオフすることによって、給紙ローラをインサート紙から離れた位置に退避させる。一連のインサータ１０４の給紙動作が完了すると、インサータ１０４の動作要求の解除信号を発生させ（ステップＳ１０７）、インサータ１０４の給紙フローを終了する。
【０１０９】
上記では、インサータトレイ１から給紙する場合の動作を述べたが、インサータトレイ２、３から給紙する場合についても、動作要求があると同様な動作を行うので、詳細の説明は省略する。尚、図１０の動作はＣＰＵ２００２で制御される。
【０１１０】
＜インサートモード判定フロー＞
インサートモードの判定フローの説明を図１１を用いて行う。操作部４０からインサートモードが選択されたかどうか判定する（ステップＳ３０１）。もし、インサートモードが選択されると、次にインサータトレイへの積載方法として、Ｓ置き積載が選択されたかどうか判定し（ステップＳ３０２）、選択された場合はインサートモードとしてＳ置きモードを設定する（ステップＳ３０３）。ステップＳ３０２でＳ置きモードが選択されない場合はＦ置きモードが選択されたかどうか判定し（ステップＳ３０４）、Ｆ置きモードが選択された場合はＦ置きモードを設定する（ステップＳ３０５）。尚、図１１の動作はＣＰＵ２００２で制御される。
【０１１１】
＜インサータ給紙タイミングフロー＞
インサートモードが選択されている場合のインサータ給紙タイミングの発生について図１２・図１３を用いて説明する。先ず、操作部４０においてカラーページインサートキー６３８が選択されているか判定し（ステップＳ４０１）、選択されていればコピースタートキー６１４が選択されるまで待機する（ステップＳ４０９）。ステップＳ４０９でコピースタートキー６１４が選択されると、原稿の給紙をスタートさせる（ステップＳ４１０）。次に、画像読取りを行いこの原稿がカラー原稿であるか判別し（ステップＳ４１１）、もし、カラー原稿であったならば、インサータ給紙タイミング信号を発生する。次に、原稿の最終ページかどうか判定し（ステップＳ４１３）、最終ページであれば終了し、最終ページでなければステップＳ４１０に戻る。
【０１１２】
ステップＳ４０１でカラーページインサートモードでなければ、ページ指定インサートモードかどうか判定し（ステップＳ４０２）、ページ指定インサートモードであればインサートすべきページを入力する。例えば図７（ｃ）のように原稿ページ数が８ページでインサートしたいページが４ページ、６ページ、８ページの３ページであったならば、操作部４０からそのページ数を入力すればよい（図示略）。
【０１１３】
インサートページの入力が完了すると（ステップＳ４０３）、コピースタートキー６１４が選択されたかどうか判定し（ステップＳ４０４）、コピースタートキー６１４が選択されると原稿給紙をスタートする（ステップＳ４０５）。この時、同時に原稿のページもカウントし、もしステップＳ４０３で入力されたページになれば（ステップＳ４０６）、インサータ給紙タイミング信号を発生する（ステップＳ４０７）。次に、原稿の最終ページかどうか判定し（ステップＳ４０８）、最終ページであれば終了し、最終ページでなければステップＳ４０５に戻る。尚、図１２・図１３の動作はＣＰＵ２００２で制御される。
【０１１４】
以上説明したように、本発明の第１の実施の形態に係る複写装置によれば、複写装置の制御部３００のＣＰＵ２００２が、インサータトレイに複数種類のインサート紙を積載するＦ置きモードが選択された場合で、インサータトレイに積載されたインサート紙が一旦無くなった後で再びインサータトレイにインサート紙が積載された場合は、実行中のジョブを停止せずにインサータトレイからインサート紙を給紙させる制御を行うため、インサータトレイにセットされたインサート紙の積載方法に応じて、適切な順序でインサータトレイから給紙できるという効果を奏する。また、他のインサート紙が積載されているインサータトレイから給紙中に、先にインサート紙が無くなったインサータトレイにインサート紙をセットすれば、インサート紙があるインサータトレイからインサート紙の給紙動作を行うので、ジョブを中断することなく連続してジョブを処理することが可能となり、ジョブの処理時間を短縮することができ、ユーザへの使用環境を向上させることができるという効果を奏する。
【０１１５】
［第２の実施の形態］
本発明の第２の実施の形態に係る複写装置は、上記第１の実施の形態と同様に、ＣＣＤ７６・画像信号制御部７７等を有する読取部１０１、画像記録部６２等を有する画像形成部１０２、複数のインサータトレイを装備したインサータ１０４等を有するシート処理部１０３、画像形成部１０２及びシート処理部１０３に対する動作設定及び設定内容の確認等を行うための操作部４０を備える構成となっている（上記図２参照）。
【０１１６】
また、本発明の第２の実施の形態に係る複写装置の読取部１０１の画像信号制御部７７は、上記第１の実施の形態と同様に、シェーディング補正部３０１、シフトメモリ部３０２、ＬＯＧ変換部３０３、黒生成部３０４、マスキングＵＣＲ部３０５、濃度変換部３０７、トリミング処理部３０８、変倍移動処理部３０９、色判定部３１０を備える構成となっている（上記図３参照）。
【０１１７】
また、本発明の第２の実施の形態に係る複写装置の制御部３００は、上記第１の実施の形態と同様に、メモリ２００１・ＣＰＵ２００２・Ｉ／Ｏ制御部２００３を有するＣＰＵ回路部２００、操作部制御部２０１、読取制御部２０２、記録紙給紙制御部２０３、画像形成制御部２０４、シート処理制御部２０５を備える構成となっている（上記図１参照）。
【０１１８】
また、本発明の第２の実施の形態に係る複写装置の操作部４０は、上記第１の実施の形態と同様に、コピースタートキー６１４、インサートモードキー６３５、カラーページインサートキー６３８、ページ指定キー６３９、Ｓ置きキー６４０、Ｆ置きキー６４１等を備える構成となっている（上記図４〜図６参照）。
【０１１９】
本発明の第２の実施の形態に係る複写装置における上記図１乃至図６に示す全体構成、画像信号制御部７７、制御部３００、操作部４０の構成については、上記第１の実施の形態で詳述したので説明を省略するものとする。
【０１２０】
次に、上記の如く構成された本発明の第２の実施の形態に係る複写装置の動作を図１４〜図２２を参照しながら説明する。
【０１２１】
＜インサータ動作コントロールフロー＞
コピーモードとしてインサート紙を挿入するインサートモードが選択されている場合のインサータ動作コントロールのフローチャートを図１４〜図１７を用いて説明する。尚、本発明の第２の実施の形態では、インサートすべきページ数を３ページ、インサータトレイ数を３段としている。操作部４０からコピースタートが選択されると（ステップＳ５０１）、インサータトレイに積載されているインサート紙がどのような積載方法で積載されているかを判断する（ステップＳ５０２）。この判断は後述するが、操作部４０から入力された信号に基づいて判断される。
【０１２２】
もし、インサータトレイの積載方法がＳ置きモード積載である場合は、変数ｋに使用しているインサータトレイ数を代入する（ステップＳ５０３）。次に、変数ｉに最初に給紙するインサータトレイ番号１を代入し（ステップＳ５０４）、インサート紙を挿入するタイミングかどうか判定する（ステップＳ５０５）。インサート紙を挿入するタイミングについては図２０・図２１を用いて後述する。
【０１２３】
ここで、インサータ給紙タイミング信号が発生するとインサート紙を挿入するタイミングと判断して、インサータトレイにインサート紙があるかどうか判定し（ステップＳ５０６）、用紙があればインサータ１０４に対して動作要求を出す（ステップＳ５０８）。もし、インサータトレイｉに用紙がなければ、用紙を補給するようユーザに対してメッセージ（不図示）を出し（ステップＳ５０７）、用紙が補給されるまで待機する。前記待機中にジョブの中止が選択された場合（ステップＳ５５０）、終了する。ここでは、インサータトレイｉ動作要求＝１になると、インサータトレイｉに対して動作要求を出すことになる。
【０１２４】
次に、インサータトレイｉ動作要求が解除されると（ステップＳ５０９）、変数ｉとｋが等しいかどうか判定する（ステップＳ５１０）。ここで、もしｉ＝ｋならば、ジョブの最終部かどうか判定を行う（ステップＳ５１１）。もし、ジョブの最終部でなければステップＳ５０４に戻り、ジョブの最終部であれば終了する。また、ステップＳ５１０においてｉ＝ｋでなければ、ｉをインクリメントして（ステップＳ５１２）、ステップＳ５０５に戻る。
【０１２５】
ステップＳ５０２においてインサータトレイの積載方法がＦ置きモード積載である場合は、変数ｋにインサータトレイの総数を代入する（ステップＳ５１３）。次に、変数ｉに最初に給紙するインサータトレイ番号の１を代入し（ステップＳ５１４）、インサート紙を挿入するタイミングかどうか判定する（ステップＳ５１５）。ここで、インサート紙を挿入するタイミングならばインサータトレイｉにインサート紙があるかどうか判定し（ステップＳ５１６）、用紙があればインサータ１０４に対して動作要求を出す（ステップＳ５１８）。もし、インサータトレイｉに用紙がなければ、用紙を補給するようユーザに対してメッセージを出し（ステップＳ５１７）、用紙が補給されるまで待機する。前記待機中にジョブの中止が選択された場合（ステップＳ５２７）、終了する。
【０１２６】
次に、インサータ１０４の動作要求が解除されると（ステップＳ５１９）、挿入すべき最後のインサート紙であったかどうか判定し（ステップＳ５２０）、もし最終紙であれば終了する。また、最後のインサート紙でなければ、変数ｉｉにｉの値を格納する（ステップＳ５２１）。そして、インサータトレイｉｉに用紙があるかどうか判定し（ステップＳ５２２）、インサート紙があると判断した時、紙なしフラグが１かどうか判断する（ステップＳ５２８）。紙なしフラグが１でないと判断した時、ステップＳ５３１を実行する。また、紙なしフラグが１であると判断した時、紙なしフラグを０にクリアし（ステップＳ５２９）、所定時間経過するのを待つ（ステップＳ５３０）。所定時間経過後、変数ｉに変数ｉｉの値を代入する。即ち、給紙するインサータトレイ番号をｉｉの値にする（ステップＳ５３１）。そして、ステップＳ５１６に戻る。
【０１２７】
ステップＳ５２２においてインサート紙がなければｉｉをインクリメント、即ち、インサート紙の有り無しを検知するインサータトレイ番号をインクリメントする（ステップＳ５２３）。次に、インサータトレイ上のインサート紙の有り無しを検知したインサータトレイ番号ｉｉと給紙選択されているインサータトレイ番号ｉｉを比較し、ｉｉとｉが等しい、即ち、全てのインサータトレイ上にインサート紙が無いと判断した時、紙なしフラグを１にする（ステップＳ５３２）。そして、用紙を補給するようユーザに対してメッセージを出し（ステップＳ５３３）、用紙が補給されるまで待機する。前記待機中にジョブの中止が選択された場合（ステップＳ５３４）、終了する。
【０１２８】
ステップＳ５２４においてｉｉとｉが等しくない、即ち、全てのインサータトレイ上にインサート紙が無いと判断していない時、ステップＳ５２５を実行する。変数ｋと給紙選択されているインサータトレイ番号ｉｉを比較し、ｉｉがｋ以下ならば（ステップＳ５２５）、ステップＳ５２２に戻る。また、ステップＳ５２５で変数ｉｉがｋ以上になった場合には、ｉｉを１、即ち、インサート紙の有り無しを検知するインサータトレイ番号を１に設定する（ステップＳ５２６）。
【０１２９】
従って、Ｆ置きモードが設定されている場合には、用紙がなくなったインサータトレイに対してインサート紙を補給することでジョブを停止させることなくコンティニアスランが可能である。また、ジョブ中に全てのインサータトレイ上のインサート紙が無くなった場合に、再びインサータトレイ上にインサート紙が置かれたことを検知した時、ジョブを自動的に再開することが可能である。尚、図１４〜図１７の動作はＣＰＵ２００２で制御される。
【０１３０】
＜インサータの給紙フロー＞
インサータ１０４の給紙に関するフローチャートを図１８を用いて説明する。ここでは、インサータトレイ１から給紙する場合について説明する。インサータ１０４に対して動作要求があると（ステップＳ６０１）、インサータトレイ１に積載されているインサート紙を搬送するために不図示の給紙ソレノイドをオンして、給紙ローラをインサート紙上に着地させる（ステップＳ６０２）。次に、インサート紙を搬送するために、不図示の搬送モータをオンする（ステップＳ６０３）。搬送モータをオンすると給紙ローラが回転するのでインサート紙を搬送できる。
【０１３１】
次に、インサート紙の搬送経路上に設けられたインサータパスセンサ４１がインサート紙の後端が通過したことを検知すると（ステップＳ６０４）、搬送モータをオフする（ステップＳ６０５）。次に、給紙ソレノイドをオフすることによって、給紙ローラをインサート紙から離れた位置に退避させる。一連のインサータ１０４の給紙動作が完了すると、インサータ１０４の動作要求の解除信号を発生させ（ステップＳ６０７）、インサータ１０４の給紙フローを終了する。
【０１３２】
上記では、インサータトレイ１から給紙する場合の動作を述べたが、インサータトレイ２、３から給紙する場合についても、動作要求があると同様な動作を行うので、詳細の説明は省略する。尚、図１８の動作はＣＰＵ２００２で制御される。
【０１３３】
＜インサートモード判定フロー＞
インサートモードの判定フローの説明を図１９を用いて行う。操作部４０からインサートモードが選択されたかどうか判定する（ステップＳ７０１）。もし、インサートモードが選択されると、次にインサータトレイへの積載方法として、Ｓ置き積載が選択されたかどうか判定し（ステップＳ７０２）、選択された場合はインサートモードとしてＳ置きモードを設定する（ステップＳ７０３）。ステップＳ７０２でＳ置きモードが選択されない場合はＦ置きモードが選択されたかどうか判定し（ステップＳ７０４）、Ｆ置きモードが選択された場合はＦ置きモードを設定する（ステップＳ７０５）。尚、図１９の動作はＣＰＵ２００２で制御される。
【０１３４】
＜インサータ給紙タイミングフロー＞
インサートモードが選択されている場合のインサータ給紙タイミングの発生について図２０・図２１を用いて説明する。先ず、操作部４０においてカラーページインサートキー６３８が選択されているか判定し（ステップＳ８０１）、選択されていればコピースタートキー６１４が選択されるまで待機する（ステップＳ８０９）。ステップＳ８０９でコピースタートキー６１４が選択されると、原稿の給紙をスタートさせる（ステップＳ８１０）。次に、画像読取りを行いこの原稿がカラー原稿であるか判別し（ステップＳ８１１）、もし、カラー原稿であったならば、インサータ給紙タイミング信号を発生する。次に、原稿の最終ページかどうか判定し（ステップＳ８１３）、最終ページであれば終了し、最終ページでなければステップＳ８１０に戻る。
【０１３５】
ステップＳ８０１でカラーページインサートモードでなければ、ページ指定インサートモードかどうか判定し（ステップＳ８０２）、ページ指定インサートモードであればインサートすべきページを入力する。例えば図７（ｃ）のように原稿ページ数が８ページでインサートしたいページが４ページ、６ページ、８ページの３ページであったならば、操作部４０からそのページ数を入力すればよい（図示略）。
【０１３６】
インサートページの入力が完了すると（ステップＳ８０３）、コピースタートキー６１４が選択されたかどうか判定し（ステップＳ８０４）、コピースタートキー６１４が選択されると原稿給紙をスタートする（ステップＳ８０５）。この時、同時に原稿のページもカウントし、もしステップＳ８０３で入力されたページになれば（ステップＳ８０６）、インサータ給紙タイミング信号を発生する（ステップＳ８０７）。次に、原稿の最終ページかどうか判定し（ステップＳ８０８）、最終ページであれば終了し、最終ページでなければステップＳ８０５に戻る。尚、図２０・図２１の動作はＣＰＵ２００２で制御される。
【０１３７】
＜動作開始判断処理＞
次に、システム全体の動作開始の判断を行う動作開始判断処理の説明を図２２のフローチャートを用いて行う。これは、複写装置が動作する開始条件を判断する処理である。先ず、操作部４０のコピースタートキー６１４の状態を判別し（ステップＳ９０１）、コピースタートキー６１４がオンされた場合は、画像形成動作を開始する（ステップＳ９０６）。このステップＳ９０６は画像形成動作が完了するまで継続して行われ、一連のまとまった単位のジョブが処理され、その終了を待ってステップＳ９０１に処理を戻す。ステップＳ９０１でコピースタートキー６１４がオンされていない場合は、操作部４０で選択されたモードが出力紙にインサータトレイに載置されたインサート紙を挿入するインサートモードであるか否かを判別し（ステップＳ９０２）、インサートモードでない場合にはステップＳ９０１に処理を戻す。
【０１３８】
インサートモードであった場合には変数ｉに初期値として１を代入する（ステップＳ９０３）。この変数ｉは複数あるインサータトレイ段を示し、ｉ＝１の時は最上位のインサータトレイを示す。次に、１の示すインサータトレイの用紙の有無を判別し（ステップＳ９０４）、インサータトレイ１に用紙が有る場合は画像形成動作を開始する（ステップＳ９０６）。また、インサータトレイ１に用紙が無い場合はインサータトレイ数であるｋまで変数に１を足し、そのインサータトレイの用紙の有無の判別を行う（ステップＳ９０５、ステップＳ９０７）。
【０１３９】
このように、インサートモードを選択されている場合は、全てのインサータトレイ上の用紙の有無を確認／判別し、何れかのインサータトレイに用紙が有る場合には速やかに画像形成動作を開始する。つまり、インサータトレイに用紙を置くだけで画像形成動作の開始が可能となり、操作性が向上する。尚、図２２の動作はＣＰＵ２００２で制御される。
【０１４０】
以上説明したように、本発明の第２の実施の形態に係る複写装置によれば、画像形成された出力紙にインサート紙を挿入するインサートモードを動作させる際に、操作部４０にて倍率・濃度等の画像形成条件と共にインサータトレイからのインサート紙挿入を行うインサートモードを選択した場合には、挿入するべきインサート紙をインサータトレイに載置することによりシステム動作である画像形成動作を開始するように構成することで、インサートモードにて動作させるための指定としての複数の無駄で複雑な操作を排除し、ユーザの操作性の向上によって誤操作の可能性を低下させ、また、動作モードの指定にかかる時間を短縮させることで、システムの処理性の向上を実現できるという効果を奏する。
【０１４１】
［第３の実施の形態］
本発明の第３の実施の形態に係る複写装置は、上記第１の実施の形態と同様に、ＣＣＤ７６・画像信号制御部７７等を有する読取部１０１、画像記録部６２等を有する画像形成部１０２、複数のインサータトレイを装備したインサータ１０４等を有するシート処理部１０３、画像形成部１０２及びシート処理部１０３に対する動作設定及び設定内容の確認等を行うための操作部４０を備える構成となっている（上記図２参照）。
【０１４２】
また、本発明の第３の実施の形態に係る複写装置の読取部１０１の画像信号制御部７７は、上記第１の実施の形態と同様に、シェーディング補正部３０１、シフトメモリ部３０２、ＬＯＧ変換部３０３、黒生成部３０４、マスキングＵＣＲ部３０５、濃度変換部３０７、トリミング処理部３０８、変倍移動処理部３０９、色判定部３１０を備える構成となっている（上記図３参照）。
【０１４３】
また、本発明の第３の実施の形態に係る複写装置の制御部３００は、上記第１の実施の形態と同様に、メモリ２００１・ＣＰＵ２００２・Ｉ／Ｏ制御部２００３を有するＣＰＵ回路部２００、操作部制御部２０１、読取制御部２０２、記録紙給紙制御部２０３、画像形成制御部２０４、シート処理制御部２０５を備える構成となっている（上記図１参照）。
【０１４４】
また、本発明の第３の実施の形態に係る複写装置の操作部４０は、上記第１の実施の形態と同様に、コピースタートキー６１４、インサートモードキー６３５、カラーページインサートキー６３８、ページ指定キー６３９、Ｓ置きキー６４０、Ｆ置きキー６４１等を備える構成となっている（上記図４〜図６参照）。
【０１４５】
本発明の第３の実施の形態に係る複写装置における上記図１乃至図６に示す全体構成、画像信号制御部７７、制御部３００、操作部４０の構成については、上記第１の実施の形態で詳述したので説明を省略するものとする。
【０１４６】
次に、上記の如く構成された本発明の第３の実施の形態に係る複写装置の動作を図２３を参照しながら説明する。
【０１４７】
上記第２の実施の形態では、インサートモード選択時に、インサータトレイに用紙を検出した場合に画像形成動作を開始したが、異なるインサートモードが存在する場合、そのモードによっては自動動作開始することによってページが揃っていない等の思わしくない場合がありえる。そのため、指定するインサートモードに詳細な条件を設けることで、このような不具合が起こる可能性を無くすことが可能になる。具体的には、インサートモードとして、同一のインサータトレイから連続でインサート用の用紙を給送する動作モード（Ｆモード）の場合のみ、インサータトレイに用紙有りで画像形成動作の開始を行うように制御することである。
【０１４８】
＜動作開始判断処理＞
システム全体の動作開始の判断を行う動作開始判断処理の説明を図２３のフローチャートを用いて行う。これは、複写装置が動作する開始条件を判断する処理である。先ず、操作部４０のコピースタートキー６１４の状態を判別し（ステップＳ１００１）、コピースタートキー６１４がオンされた場合は、画像形成動作を開始する（ステップＳ１００６）。このステップＳ１００６は画像形成動作が完了するまで継続して行われ、一連のまとまった単位のジョブが処理され、その終了を待ってステップＳ１００１に処理を戻す。ステップＳ１００１でコピースタートキー６１４がオンされていない場合は、操作部４０で選択されたモードが出力紙にインサータトレイに載置されたインサート紙を挿入するインサートモードであるか否かを判別し（ステップＳ１００２）、インサートモードでない場合にはステップＳ１００１に処理を戻す。
【０１４９】
インサートモードであった場合には、同一のインサータトレイから連続に給送するインサート動作モード（Ｆモード）であるかを判断し（ステップＳ１００８）、Ｆモードでない場合はステップＳ１００１に処理を戻す。Ｆモードの場合は変数ｉに初期値として１を代入する（ステップＳ１００３）。この変数ｉは複数あるインサータトレイ段を示し、ｉ＝１の時は最上位のインサータトレイを示す。次に、１の示すインサータトレイの用紙の有無を判別し（ステップＳ１００４）、インサータトレイ１に用紙が有る場合は画像形成動作を開始する（ステップＳ１００６）。また、インサータトレイ１に用紙が無い場合はインサータトレイ数であるｋまで変数に１を足し、そのインサータトレイの用紙の有無の判別を行う（ステップＳ１００５、ステップＳ１００７）。
【０１５０】
このように、インサートモードを選択されている場合は、全てのインサータトレイ上の用紙の有無を確認／判別し、何れかのインサータトレイに用紙が有る場合には速やかに画像形成動作を開始する。この場合も、インサータトレイに用紙を置くだけで画像形成動作の開始が可能となり、操作性が向上する。尚、図２３の動作はＣＰＵ２００２で制御される。
【０１５１】
以上説明したように、本発明の第３の実施の形態に係る複写装置によれば、上記第２の実施の形態と同様に、画像形成された出力紙にインサート紙を挿入するインサートモードを動作させる際に、操作部４０にて倍率・濃度等の画像形成条件と共にインサータトレイからのインサート紙挿入を行うインサートモードを選択した場合には、挿入するべきインサート紙をインサータトレイに載置することによりシステム動作である画像形成動作を開始するように構成することで、インサートモードにて動作させるための指定としての複数の無駄で複雑な操作を排除し、ユーザの操作性の向上によって誤操作の可能性を低下させ、また、動作モードの指定にかかる時間を短縮させることで、システムの処理性の向上を実現できるという効果を奏する。
【０１５２】
［第４の実施の形態］
本発明の第４の実施の形態に係る複写装置は、上記第１の実施の形態と同様に、ＣＣＤ７６・画像信号制御部７７等を有する読取部１０１、画像記録部６２等を有する画像形成部１０２、複数のインサータトレイを装備したインサータ１０４等を有するシート処理部１０３、画像形成部１０２及びシート処理部１０３に対する動作設定及び設定内容の確認等を行うための操作部４０を備える構成となっている（上記図２参照）。
【０１５３】
また、本発明の第４の実施の形態に係る複写装置の読取部１０１の画像信号制御部７７は、上記第１の実施の形態と同様に、シェーディング補正部３０１、シフトメモリ部３０２、ＬＯＧ変換部３０３、黒生成部３０４、マスキングＵＣＲ部３０５、濃度変換部３０７、トリミング処理部３０８、変倍移動処理部３０９、色判定部３１０を備える構成となっている（上記図３参照）。
【０１５４】
また、本発明の第４の実施の形態に係る複写装置の制御部３００は、上記第１の実施の形態と同様に、メモリ２００１・ＣＰＵ２００２・Ｉ／Ｏ制御部２００３を有するＣＰＵ回路部２００、操作部制御部２０１、読取制御部２０２、記録紙給紙制御部２０３、画像形成制御部２０４、シート処理制御部２０５を備える構成となっている（上記図１参照）。
【０１５５】
また、本発明の第４の実施の形態に係る複写装置の操作部４０は、上記第１の実施の形態と同様に、コピースタートキー６１４、インサートモードキー６３５、カラーページインサートキー６３８、ページ指定キー６３９、Ｓ置きキー６４０、Ｆ置きキー６４１等を備える構成となっている（上記図４〜図６参照）。
【０１５６】
本発明の第４の実施の形態に係る複写装置における上記図１乃至図６に示す全体構成、画像信号制御部７７、制御部３００、操作部４０の構成については、上記第１の実施の形態で詳述したので説明を省略するものとする。
【０１５７】
次に、上記の如く構成された本発明の第４の実施の形態に係る複写装置の動作を図２４〜図３１を参照しながら説明する。
【０１５８】
＜インサータ動作コントロールフロー＞
コピーモードとしてインサート紙を挿入するインサートモードが選択されている場合のインサータ動作コントロールのフローチャートを図２４〜図２７を用いて説明する。尚、本発明の第４の実施の形態では、インサートすべきページ数を３ページ、インサータトレイ数を３段としている。操作部４０からコピースタートが選択されると（ステップＳ１１０１）、インサータトレイに積載されているインサート紙がどのような積載方法で積載されているかを判断する（ステップＳ１１０２）。この判断は後述するが、操作部４０から入力された信号に基づいて判断される。
【０１５９】
もし、インサータトレイの積載方法がＳ置きモード積載である場合は、変数ｋに使用しているインサータトレイ数を代入する（ステップＳ１１０３）。次に、変数ｉに最初に給紙するインサータトレイ番号１を代入し（ステップＳ１１０４）、インサート紙を挿入するタイミングかどうか判定する（ステップＳ１１０５）。インサート紙を挿入するタイミングについては図３０・図３１を用いて後述する。
【０１６０】
ここで、インサータ給紙タイミング信号が発生するとインサート紙を挿入するタイミングと判断して、インサータトレイにインサート紙があるかどうか判定し（ステップＳ１１０６）、用紙があればインサータ１０４に対して動作要求を出す（ステップＳ１１０８）。もし、インサータトレイｉに用紙がなければ、用紙を補給するようユーザに対してメッセージ（不図示）を出し（ステップＳ１１０７）、用紙が補給されるまで待機する。前記待機中にジョブの中止が選択された場合（ステップＳ１１５０）、終了する。ここでは、インサータトレイｉ動作要求＝１になると、インサータトレイｉに対して動作要求を出すことになる。
【０１６１】
次に、インサータトレイｉ動作要求が解除されると（ステップＳ１１０９）、変数ｉとｋが等しいかどうか判定する（ステップＳ１１１０）。ここで、もしｉ＝ｋならば、ジョブの最終部かどうか判定を行う（ステップＳ１１１１）。もし、ジョブの最終部でなければステップＳ１１０４に戻り、ジョブの最終部であれば終了する。また、ステップＳ１１１０においてｉ＝ｋでなければ、ｉをインクリメントして（ステップＳ１１１２）、ステップＳ１１０５に戻る。
【０１６２】
ステップＳ１１０２においてインサータトレイの積載方法がＦ置きモード積載である場合は、変数ｋにインサータトレイの総数を代入する（ステップＳ１１１３）。次に、変数ｉに最初に給紙するインサータトレイ番号の１を代入し（ステップＳ１１１４）、インサート紙を挿入するタイミングかどうか判定する（ステップＳ１１１５）。ここで、インサート紙を挿入するタイミングならばインサータトレイｉにインサート紙があるかどうか判定し（ステップＳ１１１６）、用紙があればインサータ１０４に対して動作要求を出す（ステップＳ１１１８）。もし、インサータトレイｉに用紙がなければ、用紙を補給するようユーザに対してメッセージを出し（ステップＳ１１１７）、用紙が補給されるまで待機する。前記待機中にジョブの中止が選択された場合（ステップＳ１１２７）、終了する。
【０１６３】
次に、インサータ１０４の動作要求が解除されると（ステップＳ１１１９）、挿入すべき最後のインサート紙であったかどうか判定し（ステップＳ１１２０）、もし最終紙であれば終了する。また、最後のインサート紙でなければ、変数ｉｉにｉの値を格納する（ステップＳ１１２１）。そして、インサータトレイｉに用紙があるかどうか判定し（ステップＳ１１２２）、インサート紙があると判断した時、紙なしフラグが１かどうか判断する（ステップＳ１１２８）。紙なしフラグが１でないと判断した時、ステップＳ１１３１を実行する。また、紙なしフラグが１であると判断した時、紙なしフラグを０にクリアし（ステップＳ１１２９）、所定時間経過するのを待つ（ステップＳ１１３０）。所定時間経過後、変数ｉに変数ｉｉの値を代入する。即ち、給紙するインサータトレイ番号をｉｉの値にする（ステップＳ１１３１）。そして、ステップＳ１１１６に戻る。
【０１６４】
ステップＳ１１２２においてインサート紙がなければｉｉをインクリメント、即ち、インサート紙の有り無しを検知するインサータトレイ番号をインクリメントする（ステップＳ１１２３）。次に、インサータトレイ上のインサート紙の有り無しを検知したインサータトレイ番号ｉｉと給紙選択されているインサータトレイ番号ｉｉを比較し、ｉｉとｉが等しい、即ち、全てのインサータトレイ上にインサート紙が無いと判断した時、紙なしフラグを１にする（ステップＳ１１３２）。そして、用紙を補給するようユーザに対してメッセージを出し（ステップＳ１１３３）、用紙が補給されるまで待機する。前記待機中にジョブの中止が選択された場合（ステップＳ１１３４）、終了する。
【０１６５】
ステップＳ１１２４においてｉｉとｉが等しくない、即ち、全てのインサータトレイ上にインサート紙が無いと判断していない時、ステップＳ１１２５を実行する。変数ｋと給紙選択されているインサータトレイ番号ｉｉを比較し、ｉｉがｋ以下ならば（ステップＳ１１２５）、ステップＳ１１２２に戻る。また、ステップＳ１１２５で変数ｉｉがｋ以上になった場合には、ｉｉを１、即ち、インサート紙の有り無しを検知するインサータトレイ番号を１に設定する（ステップＳ１１２６）。
【０１６６】
従って、Ｆ置きモードが設定されている場合には、用紙がなくなったインサータトレイに対してインサート紙を補給することでジョブを停止させることなくコンティニアスランが可能である。また、ジョブ中に全てのインサータトレイ上のインサート紙が無くなった場合に、再びインサータトレイ上にインサート紙が置かれたことを検知した時、ジョブを自動的に再開することが可能である。尚、図２４〜図２７の動作はＣＰＵ２００２で制御される。
【０１６７】
＜インサータの給紙フロー＞
インサータ１０４の給紙に関するフローチャートを図２８を用いて説明する。ここでは、インサータトレイ１から給紙する場合について説明する。インサータ１０４に対して動作要求があると（ステップＳ１２０１）、インサータトレイ１に積載されているインサート紙を搬送するために不図示の給紙ソレノイドをオンして、給紙ローラをインサート紙上に着地させる（ステップＳ１２０２）。次に、インサート紙を搬送するために、不図示の搬送モータをオンする（ステップＳ１２０３）。搬送モータをオンすると給紙ローラが回転するのでインサート紙を搬送できる。
【０１６８】
次に、インサート紙の搬送経路上に設けられたインサータパスセンサ４１がインサート紙の後端が通過したことを検知すると（ステップＳ１２０４）、搬送モータをオフする（ステップＳ１２０５）。次に、給紙ソレノイドをオフすることによって、給紙ローラをインサート紙から離れた位置に退避させる。一連のインサータ１０４の給紙動作が完了すると、インサータ１０４の動作要求の解除信号を発生させ（ステップＳ１２０７）、インサータ１０４の給紙フローを終了する。
【０１６９】
上記では、インサータトレイ１から給紙する場合の動作を述べたが、インサータトレイ２、３から給紙する場合についても、動作要求があると同様な動作を行うので、詳細の説明は省略する。尚、図２８の動作はＣＰＵ２００２で制御される。
【０１７０】
＜インサートモード判定フロー＞
インサートモードの判定フローの説明を図２９を用いて行う。操作部４０からインサートモードが選択されたかどうか判定する（ステップＳ１３０１）。もし、インサートモードが選択されると、次にインサータトレイへの積載方法として、Ｓ置き積載が選択されたかどうか判定し（ステップＳ１３０２）、選択された場合はインサートモードとしてＳ置きモードを設定する（ステップＳ１３０３）。ステップＳ１３０２でＳ置きモードが選択されない場合はＦ置きモードが選択されたかどうか判定し（ステップＳ１３０４）、Ｆ置きモードが選択された場合はＦ置きモードを設定する（ステップＳ１３０５）。尚、図２９の動作はＣＰＵ２００２で制御される。
【０１７１】
＜インサータ給紙タイミングフロー＞
インサートモードが選択されている場合のインサータ給紙タイミングの発生について図３０・図３１を用いて説明する。先ず、操作部４０においてカラーページインサートキー６３８が選択されているか判定し（ステップＳ１４０１）、選択されていればコピースタートキー６１４が選択されるまで待機する（ステップＳ１４０９）。ステップＳ１４０９でコピースタートキー６１４が選択されると、原稿の給紙をスタートさせる（ステップＳ１４１０）。次に、画像読取りを行いこの原稿がカラー原稿であるか判別し（ステップＳ１４１１）、もし、カラー原稿であったならば、インサータ給紙タイミング信号を発生する。次に、原稿の最終ページかどうか判定し（ステップＳ１４１３）、最終ページであれば終了し、最終ページでなければステップＳ１４１０に戻る。
【０１７２】
ステップＳ１４０１でカラーページインサートモードでなければ、ページ指定インサートモードかどうか判定し（ステップＳ１４０２）、ページ指定インサートモードであればインサートすべきページを入力する。例えば図７（ｃ）のように原稿ページ数が８ページでインサートしたいページが４ページ、６ページ、８ページの３ページであったならば、操作部４０からそのページ数を入力すればよい（図示略）。
【０１７３】
インサートページの入力が完了すると（ステップＳ１４０３）、コピースタートキー６１４が選択されたかどうか判定し（ステップＳ１４０４）、コピースタートキー６１４が選択されると原稿給紙をスタートする（ステップＳ１４０５）。この時、同時に原稿のページもカウントし、もしステップＳ１４０３で入力されたページになれば（ステップＳ１４０６）、インサータ給紙タイミング信号を発生する（ステップＳ１４０７）。次に、原稿の最終ページかどうか判定し（ステップＳ１４０８）、最終ページであれば終了し、最終ページでなければステップＳ１４０５に戻る。尚、図３０・図３１の動作はＣＰＵ２００２で制御される。
【０１７４】
以上説明したように、本発明の第４の実施の形態に係る複写装置によれば、インサータトレイ上に積載されたインサート紙が無くなりジョブを一旦中断した後、インサート紙がインサータトレイにセットされたことを検知した所定時間後にジョブを継続することで、ユーザがインサータ１０４から離れた場所にある画像形成装置の操作部４０からジョブの再開を入力する手間を省くことができ、ユーザへの使用環境の向上させることができるという効果を奏する。
【０１７５】
［第５の実施の形態］
本発明の第５の実施の形態に係る複写装置は、上記第１の実施の形態と同様に、ＣＣＤ７６・画像信号制御部７７等を有する読取部１０１、画像記録部６２等を有する画像形成部１０２、複数のインサータトレイを装備したインサータ１０４等を有するシート処理部１０３、画像形成部１０２及びシート処理部１０３に対する動作設定及び設定内容の確認等を行うための操作部４０を備える構成となっている（上記図２参照）。
【０１７６】
また、本発明の第５の実施の形態に係る複写装置の読取部１０１の画像信号制御部７７は、上記第１の実施の形態と同様に、シェーディング補正部３０１、シフトメモリ部３０２、ＬＯＧ変換部３０３、黒生成部３０４、マスキングＵＣＲ部３０５、濃度変換部３０７、トリミング処理部３０８、変倍移動処理部３０９、色判定部３１０を備える構成となっている（上記図３参照）。
【０１７７】
また、本発明の第５の実施の形態に係る複写装置の制御部３００は、上記第１の実施の形態と同様に、メモリ２００１・ＣＰＵ２００２・Ｉ／Ｏ制御部２００３を有するＣＰＵ回路部２００、操作部制御部２０１、読取制御部２０２、記録紙給紙制御部２０３、画像形成制御部２０４、シート処理制御部２０５を備える構成となっている（上記図１参照）。
【０１７８】
また、本発明の第５の実施の形態に係る複写装置の操作部４０は、上記第１の実施の形態と同様に、コピースタートキー６１４、インサートモードキー６３５、カラーページインサートキー６３８、ページ指定キー６３９、Ｓ置きキー６４０、Ｆ置きキー６４１等を備える構成となっている（上記図４〜図６参照）。
【０１７９】
本発明の第５の実施の形態に係る複写装置における上記図１乃至図６に示す全体構成、画像信号制御部７７、制御部３００、操作部４０の構成については、上記第１の実施の形態で詳述したので説明を省略するものとする。
【０１８０】
次に、上記の如く構成された本発明の第５の実施の形態に係る複写装置の動作を図３２〜図３９を参照しながら説明する。
【０１８１】
＜インサータ動作コントロールフロー＞
コピーモードとしてインサート紙を挿入するインサートモードが選択されている場合のインサータ動作コントロールのフローチャートを図３２〜図３５を用いて説明する。尚、本発明の第５の実施の形態では、インサートすべきページ数を３ページ、インサータトレイ数を３段としている。操作部４０からコピースタートが選択されると（ステップＳ１５０１）、インサータトレイに積載されているインサート紙がどのような積載方法で積載されているかを判断する（ステップＳ１５０２）。この判断は後述するが、操作部４０から入力された信号に基づいて判断される。
【０１８２】
もし、インサータトレイの積載方法がＳ置きモード積載である場合は、変数ｋに使用しているインサータトレイ数を代入する（ステップＳ１５０３）。次に、変数ｉに最初に給紙するインサータトレイ番号１を代入し（ステップＳ１５０４）、インサート紙を挿入するタイミングかどうか判定する（ステップＳ１５０５）。インサート紙を挿入するタイミングについては図３８・図３９を用いて後述する。
【０１８３】
ここで、インサータ給紙タイミング信号が発生するとインサート紙を挿入するタイミングと判断して、インサータトレイにインサート紙があるかどうか判定し（ステップＳ１５０６）、用紙があればインサータ１０４に対して動作要求を出す（ステップＳ１５０８）。もし、インサータトレイｉに用紙がなければ、用紙を補給するようユーザに対してメッセージ（不図示）を出し（ステップＳ１５０７）、用紙が補給されるまで待機する。前記待機中にジョブの中止が選択された場合（ステップＳ１５５０）、終了する。ここでは、インサータトレイｉ動作要求＝１になると、インサータトレイｉに対して動作要求を出すことになる。
【０１８４】
次に、インサータトレイｉ動作要求が解除されると（ステップＳ１５０９）、変数ｉとｋが等しいかどうか判定する（ステップＳ１５１０）。ここで、もしｉ＝ｋならば、ジョブの最終部かどうか判定を行う（ステップＳ１５１１）。もし、ジョブの最終部でなければステップＳ１５０４に戻り、ジョブの最終部であれば終了する。また、ステップＳ１５１０においてｉ＝ｋでなければ、ｉをインクリメントして（ステップＳ１５１２）、ステップＳ１５０５に戻る。
【０１８５】
ステップＳ１５０２においてインサータトレイの積載方法がＦ置きモード積載である場合は、変数ｋにインサータトレイの総数を代入する（ステップＳ１５１３）。次に、変数ｉに最初に給紙するインサータトレイ番号の１を代入し（ステップＳ１５１４）、インサート紙を挿入するタイミングかどうか判定する（ステップＳ１５１５）。ここで、インサート紙を挿入するタイミングならばインサータトレイｉにインサート紙があるかどうか判定し（ステップＳ１５１６）、用紙があればインサータ１０４に対して動作要求を出す（ステップＳ１５１８）。もし、インサータトレイｉに用紙がなければ、用紙を補給するようユーザに対してメッセージを出し（ステップＳ１５１７）、用紙が補給されるまで待機する。前記待機中にジョブの中止が選択された場合（ステップＳ１５２７）、終了する。
【０１８６】
次に、インサータ１０４の動作要求が解除されると（ステップＳ１５１９）、挿入すべき最後のインサート紙であったかどうか判定し（ステップＳ１５２０）、もし最終紙であれば終了する。また、最後のインサート紙でなければ、変数ｉｉにｉの値を格納する（ステップＳ１５２１）。そして、インサータトレイｉに用紙があるかどうか判定し（ステップＳ１５２２）、インサート紙があると判断した時、紙なしフラグが１かどうか判断する（ステップＳ１５２８）。紙なしフラグが１でないと判断した時、ステップＳ１５３１を実行する。また、紙なしフラグが１であると判断した時、紙なしフラグを０にクリアし（ステップＳ１５２９）、操作部４０からコピースタートが選択されるのを待つ（ステップＳ１５３０）。コピースタートが選択された後、変数ｉに変数ｉｉの値を代入する。即ち、給紙するインサータトレイ番号をｉｉの値にする（ステップＳ１５３１）。そして、ステップＳ１５１６に戻る。
【０１８７】
ステップＳ１５２２においてインサート紙がなければｉｉをインクリメント、即ち、インサート紙の有り無しを検知するインサータトレイ番号をインクリメントする（ステップＳ１５２３）。次に、インサータトレイ上のインサート紙の有り無しを検知したインサータトレイ番号ｉｉと給紙選択されているインサータトレイ番号ｉｉを比較し、ｉｉとｉが等しい、即ち、全てのインサータトレイ上にインサート紙が無いと判断した時、紙なしフラグを１にする（ステップＳ１５３２）。そして、用紙を補給するようユーザに対してメッセージを出し（ステップＳ１５３３）、用紙が補給されるまで待機する。前記待機中にジョブの中止が選択された場合（ステップＳ１５３４）、終了する。
【０１８８】
ステップＳ１５２４においてｉｉとｉが等しくない、即ち、全てのインサータトレイ上にインサート紙が無いと判断していない時、ステップＳ１５２５を実行する。変数ｋと給紙選択されているインサータトレイ番号ｉｉを比較し、ｉｉがｋ以下ならば（ステップＳ１５２５）、ステップＳ１５２２に戻る。また、ステップＳ１５２５で変数ｉｉがｋ以上になった場合には、ｉｉを１、即ち、インサート紙の有り無しを検知するインサータトレイ番号を１に設定する（ステップＳ１５２６）。
【０１８９】
従って、Ｆ置きモードが設定されている場合には、用紙がなくなったインサータトレイに対してインサート紙を補給することでジョブを停止させることなくコンティニアスランが可能である。また、ジョブ中に全てのインサータトレイ上のインサート紙が無くなった場合に、再びインサータトレイ上にインサート紙が置かれたことを検知した時、ジョブを自動的に再開することが可能である。尚、図３２〜図３５の動作はＣＰＵ２００２で制御される。
【０１９０】
＜インサータの給紙フロー＞
インサータ１０４の給紙に関するフローチャートを図３６を用いて説明する。ここでは、インサータトレイ１から給紙する場合について説明する。インサータ１０４に対して動作要求があると（ステップＳ１６０１）、インサータトレイ１に積載されているインサート紙を搬送するために不図示の給紙ソレノイドをオンして、給紙ローラをインサート紙上に着地させる（ステップＳ１６０２）。次に、インサート紙を搬送するために、不図示の搬送モータをオンする（ステップＳ１６０３）。搬送モータをオンすると給紙ローラが回転するのでインサート紙を搬送できる。
【０１９１】
次に、インサート紙の搬送経路上に設けられたインサータパスセンサ４１がインサート紙の後端が通過したことを検知すると（ステップＳ１６０４）、搬送モータをオフする（ステップＳ１６０５）。次に、給紙ソレノイドをオフすることによって、給紙ローラをインサート紙から離れた位置に退避させる。一連のインサータ１０４の給紙動作が完了すると、インサータ１０４の動作要求の解除信号を発生させ（ステップＳ１６０７）、インサータ１０４の給紙フローを終了する。
【０１９２】
上記では、インサータトレイ１から給紙する場合の動作を述べたが、インサータトレイ２、３から給紙する場合についても、動作要求があると同様な動作を行うので、詳細の説明は省略する。尚、図３６の動作はＣＰＵ２００２で制御される。
【０１９３】
＜インサートモード判定フロー＞
インサートモードの判定フローの説明を図３７を用いて行う。操作部４０からインサートモードが選択されたかどうか判定する（ステップＳ１７０１）。もし、インサートモードが選択されると、次にインサータトレイへの積載方法として、Ｓ置き積載が選択されたかどうか判定し（ステップＳ１７０２）、選択された場合はインサートモードとしてＳ置きモードを設定する（ステップＳ１７０３）。ステップＳ１７０２でＳ置きモードが選択されない場合はＦ置きモードが選択されたかどうか判定し（ステップＳ１７０４）、Ｆ置きモードが選択された場合はＦ置きモードを設定する（ステップＳ１７０５）。尚、図３７の動作はＣＰＵ２００２で制御される。
【０１９４】
＜インサータ給紙タイミングフロー＞
インサートモードが選択されている場合のインサータ給紙タイミングの発生について図３８・図３９を用いて説明する。先ず、操作部４０においてカラーページインサートキー６３８が選択されているか判定し（ステップＳ１８０１）、選択されていればコピースタートキー６１４が選択されるまで待機する（ステップＳ１８０９）。ステップＳ１８０９でコピースタートキー６１４が選択されると、原稿の給紙をスタートさせる（ステップＳ１８１０）。次に、画像読取りを行いこの原稿がカラー原稿であるか判別し（ステップＳ１８１１）、もし、カラー原稿であったならば、インサータ給紙タイミング信号を発生する。次に、原稿の最終ページかどうか判定し（ステップＳ１８１３）、最終ページであれば終了し、最終ページでなければステップＳ１８１０に戻る。
【０１９５】
ステップＳ１８０１でカラーページインサートモードでなければ、ページ指定インサートモードかどうか判定し（ステップＳ１８０２）、ページ指定インサートモードであればインサートすべきページを入力する。例えば図７（ｃ）のように原稿ページ数が８ページでインサートしたいページが４ページ、６ページ、８ページの３ページであったならば、操作部４０からそのページ数を入力すればよい（図示略）。
【０１９６】
インサートページの入力が完了すると（ステップＳ１８０３）、コピースタートキー６１４が選択されたかどうか判定し（ステップＳ１８０４）、コピースタートキー６１４が選択されると原稿給紙をスタートする（ステップＳ１８０５）。この時、同時に原稿のページもカウントし、もしステップＳ１８０３で入力されたページになれば（ステップＳ１８０６）、インサータ給紙タイミング信号を発生する（ステップＳ１８０７）。次に、原稿の最終ページかどうか判定し（ステップＳ１８０８）、最終ページであれば終了し、最終ページでなければステップＳ１８０５に戻る。尚、図３８・図３９の動作はＣＰＵ２００２で制御される。
【０１９７】
以上説明したように、本発明の第５の実施の形態に係る複写装置によれば、インサータトレイ上に積載されたインサート紙が無くなりジョブを一旦中断した後、ユーザがインサート紙をインサータトレイにセットした後にユーザがコピースタートを選択し、ジョブの再開を指示することによってジョブを継続することで、また、確実に１つのインサータトレイにセットするべき全てのインサート紙がセットされたことを確認することで、誤ったインサート動作を防止でき、ユーザへの使用環境の向上させることができるという効果を奏する。
【０１９８】
［他の実施の形態］
上述した本発明の第１〜第５の実施の形態においては、上記図１乃至図６に示す構成を有する複写装置の場合を例に上げたが、本発明は上記図１乃至図６に示す構成に限定されるものではなく、例えば、シート処理部１０３におけるインサータトレイの段数、画像形成部１０２における記録紙格納部の設置数、操作部４０におけるキーの種類など、本発明の趣旨の範囲内で適宜必要に応じた構成をとることも可能である。
【０１９９】
また、上述した本発明の第１〜第５の実施の形態においては、複写装置単体の場合を例に上げたが、本発明は複写装置単体に限定されるものではなく、例えば、本発明の複写装置、情報処理装置（コンピュータ）、印刷装置（プリンタ）等をＬＡＮ等の通信媒体を介し接続したシステムに適用することも可能である。
【０２００】
尚、本発明は、複数の機器から構成されるシステムに適用しても、１つの機器からなる装置に適用してもよい。前述した実施形態の機能を実現するソフトウエアのプログラムコードを記憶した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０２０１】
この場合、記憶媒体から読み出されたプログラムコード自体が前述した実施形態の機能を実現することになり、そのプログラムコードを記憶した記憶媒体は本発明を構成することになる。
【０２０２】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０２０３】
また、コンピュータが読出したプログラムコードを実行することにより、前述した実施形態の機能が実現されるだけでなく、そのプログラムコードの指示に基づき、コンピュータ上で稼働しているＯＳなどが実際の処理の一部または全部を行い、その処理によって前述した実施形態の機能が実現される場合も含まれることは言うまでもない。
【０２０４】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０２０５】
【発明の効果】
以上説明したように、本発明によれば、給紙中のインサータトレイのインサート紙がなくなっても、複数のインサータトレイのいずれかにインサート紙が補給されればジョブを停止させずに、続行させることができるという効果を奏する。
【図面の簡単な説明】
【図１】本発明の第１〜第５の実施の形態に係る複写装置の制御部の詳細構成を示すブロック図である。
【図２】本発明の第１〜第５の実施の形態に係る複写装置の内部構造を示す構成図である。
【図３】本発明の第１〜第５の実施の形態に係る複写装置の読取部の画像信号制御部の詳細構成を示すブロック図である。
【図４】本発明の第１〜第５の実施の形態に係る複写装置の操作部の構成を示す正面図である。
【図５】本発明の第１〜第５の実施の形態に係る複写装置の操作部の構成を示す正面図である。
【図６】本発明の第１〜第５の実施の形態に係る複写装置の操作部の構成を示す正面図である。
【図７】本発明の第１〜第５の実施の形態に係る複写装置の操作部で選択可能な（ａ）Ｓ置きモード積載、（ｂ）Ｆ置きモード積載、（ｃ）複数原稿の例を示す説明図である。
【図８】本発明の第１の実施の形態に係るインサータ動作コントロール判定処理を示すフローチャートである。
【図９】本発明の第１の実施の形態に係るインサータ動作コントロール判定処理を示すフローチャートである。
【図１０】本発明の第１の実施の形態に係るインサータ１の給紙処理を示すフローチャートである。
【図１１】本発明の第１の実施の形態に係るインサートモード判別処理を示すフローチャートである。
【図１２】本発明の第１の実施の形態に係るインサータ給紙タイミング発生処理を示すフローチャートである。
【図１３】本発明の第１の実施の形態に係るインサータ給紙タイミング発生処理を示すフローチャートである。
【図１４】本発明の第２の実施の形態に係るインサータ動作コントロール判定処理を示すフローチャートである。
【図１５】本発明の第２の実施の形態に係るインサータ動作コントロール判定処理を示すフローチャートである。
【図１６】本発明の第２の実施の形態に係るインサータ動作コントロール判定処理を示すフローチャートである。
【図１７】本発明の第２の実施の形態に係るインサータ動作コントロール判定処理を示すフローチャートである。
【図１８】本発明の第２の実施の形態に係るインサータ１の給紙処理を示すフローチャートである。
【図１９】本発明の第２の実施の形態に係るインサートモード判別処理を示すフローチャートである。
【図２０】本発明の第２の実施の形態に係るインサータ給紙タイミング発生処理を示すフローチャートである。
【図２１】本発明の第２の実施の形態に係るインサータ給紙タイミング発生処理を示すフローチャートである。
【図２２】本発明の第２の実施の形態に係る動作開始判断処理を示すフローチャートである。
【図２３】本発明の第３の実施の形態に係る動作開始判断処理を示すフローチャートである。
【図２４】本発明の第４の実施の形態に係るインサータ動作コントロール判定処理を示すフローチャートである。
【図２５】本発明の第４の実施の形態に係るインサータ動作コントロール判定処理を示すフローチャートである。
【図２６】本発明の第４の実施の形態に係るインサータ動作コントロール判定処理を示すフローチャートである。
【図２７】本発明の第４の実施の形態に係るインサータ動作コントロール判定処理を示すフローチャートである。
【図２８】本発明の第４の実施の形態に係るインサータ１の給紙処理を示すフローチャートである。
【図２９】本発明の第４の実施の形態に係るインサートモード判別処理を示すフローチャートである。
【図３０】本発明の第４の実施の形態に係るインサータ給紙タイミング発生処理を示すフローチャートである。
【図３１】本発明の第４の実施の形態に係るインサータ給紙タイミング発生処理を示すフローチャートである。
【図３２】本発明の第５の実施の形態に係るインサータ動作コントロール判定処理を示すフローチャートである。
【図３３】本発明の第５の実施の形態に係るインサータ動作コントロール判定処理を示すフローチャートである。
【図３４】本発明の第５の実施の形態に係るインサータ動作コントロール判定処理を示すフローチャートである。
【図３５】本発明の第５の実施の形態に係るインサータ動作コントロール判定処理を示すフローチャートである。
【図３６】本発明の第５の実施の形態に係るインサータ１の給紙処理を示すフローチャートである。
【図３７】本発明の第５の実施の形態に係るインサートモード判別処理を示すフローチャートである。
【図３８】本発明の第５の実施の形態に係るインサータ給紙タイミング発生処理を示すフローチャートである。
【図３９】本発明の第５の実施の形態に係るインサータ給紙タイミング発生処理を示すフローチャートである。
【図４０】本発明のプログラム及び関連データを記憶した記憶媒体の記憶内容の構成例を示す説明図である。
【図４１】本発明のプログラム及び関連データが記憶媒体から装置に供給される概念例を示す説明図である。
【符号の説明】
２０  インサータトレイ
２７  インサート紙セット検知センサ
４０  操作部
１０１  読取部
１０２  画像形成部
１０３  シート処理部
１０４  インサータ
６１４  コピースタートキー
６３５  インサートモードキー
６３８  カラーページインサートキー
６３９  ページ指定キー
６４０  Ｓ置きキー
６４１  Ｆ置きキー
２００２  ＣＰＵ
【図１】
0004454743.tif 000002
【図２】
0004454743.tif 000003
【図３】
0004454743.tif 000004
【図４】
0004454743.tif 000005
【図５】
0004454743.tif 000006
【図６】
0004454743.tif 000007
【図７】
0004454743.tif 000008
【図８】
0004454743.tif 000009
【図９】
0004454743.tif 000010
【図１０】
0004454743.tif 000011
【図１１】
0004454743.tif 000012
【図１２】
0004454743.tif 000013
【図１３】
0004454743.tif 000014
【図１４】
0004454743.tif 000015
【図１５】
0004454743.tif 000016
【図１６】
0004454743.tif 000017
【図１７】
0004454743.tif 000018
【図１８】
0004454743.tif 000019
【図１９】
0004454743.tif 000020
【図２０】
0004454743.tif 000021
【図２１】
0004454743.tif 000022
【図２２】
0004454743.tif 000023
【図２３】
0004454743.tif 000024
【図２４】
0004454743.tif 000025
【図２５】
0004454743.tif 000026
【図２６】
0004454743.tif 000027
【図２７】
0004454743.tif 000028
【図２８】
0004454743.tif 000029
【図２９】
0004454743.tif 000030
【図３０】
0004454743.tif 000031
【図３１】
0004454743.tif 000032
【図３２】
0004454743.tif 000033
【図３３】
0004454743.tif 000034
【図３４】
0004454743.tif 000035
【図３５】
0004454743.tif 000036
【図３６】
0004454743.tif 000037
【図３７】
0004454743.tif 000038
【図３８】
0004454743.tif 000039
【図３９】
0004454743.tif 000040
【図４０】
0004454743.tif 000041
【図４１】
0004454743.tif 000042